(57)【要約】      （修正有）【課題】防塵式創意掛け時計を提供する。【解決手段】壁１０を含み、壁１０の前端面には掛け時計１１が固定的に設置されており、掛け時計１１の下側には左右に対称的な固定ブロック１２が設置されており、固定ブロック１２の間には固定棒１３が固定的に設置されており、固定棒１３には透明な前防塵ボード１４が回転できるように設置されており、前防塵ボード１４と壁１０との間には伸縮撥条が固定的に設置されており、前防塵ボード１４の前端の中間にはロックブロックが固定的に設置されており、ロックブロックにはロックフックが固定的に設置されており、壁１０の前端面には固定軸１８が固定的に設置されており、固定軸１８には透明な左防塵ボード１９が回転できるように設置されており、左防塵ボード１９の中には収縮溝が設置されており、収縮溝の中の固定軸１８には透明な右防塵ボード２１が回転できるように設置されている。【選択図】図１
2020180957.tif 000002
【特許請求の範囲】
【請求項１】
正面視で、防塵式創意掛け時計であって、壁を含み、前記壁の前端面には掛け時計が固定的に設置されており、前記掛け時計の下側には左右に対称的な固定ブロックが設置されており、前記固定ブロックの間には固定棒が固定的に設置されており、前記固定棒には透明な前防塵ボードが回転できるように設置されており、前記前防塵ボードと前記壁との間には伸縮撥条が固定的に設置されており、前記前防塵ボードの前端の中間にはロックブロックが固定的に設置されており、前記ロックブロックにはロックフックが固定的に設置されており、前記壁の前端面には固定軸が固定的に設置されており、前記固定軸には透明な左防塵ボードが回転できるように設置されており、前記左防塵ボードの中には収縮溝が設置されており、前記収縮溝の中の前記固定軸には透明な右防塵ボードが回転できるように設置されており、前記左防塵ボード及び前記右防塵ボードの後端と前記壁との間にはそれぞれ回転撥条が固定的に設置されており、前記固定軸の外側には収縮装置が設置されており、前記収縮装置が前記左防塵ボード及び前記右防塵ボードの下端面と当接し、前記固定軸の中にはロック溝が設置されており、前記ロック溝の中には固定軸が固定的に設置されており、前記固定軸にはロック棒が回転できるように設置されており、前記ロック棒と前記ロック溝との間には戻し撥条が固定的に設置されており、前記ロック溝の後側には回転チャンバが相通して設置されており、前記回転チャンバの中には支持棒が固定的に設置されており、前記支持棒には前端が前記ロック棒と当接する回転棒が回転できるように設置されており、前記回転チャンバの後側には押しチャンバが相通して設置されており、前記押しチャンバの中には押し棒がスライドできるように設置されており、前記押し棒の中には通槽が設置されており、前記回転棒の後端が前記通槽の中に挿入されており、前記押し棒にはラックが固定的に設置されており、前記押し棒の後側には前記収縮装置と伝動できるように連結される押し装置が伝動できるように設置されており、前記押し装置は前記ラックと噛み合い、前記押し棒の後端面には第一戻し部品が固定的に設置されており、前記押しチャンバの上側には押し溝が相通して設置されており、前記押し溝の中には押しブロックがスライドできるように設置されており、前記押しブロックの上端面には第二戻し部品が固定的に設置され、
前記左防塵ボードと前記右防塵ボード及び前記防塵ボードが前記掛け時計を囲んでいることを特徴とする防塵式創意掛け時計。
【請求項２】
前記収縮装置は前に開口した左右対称的なスライド溝を含み、前記スライド溝の中にはスライダがスライドできるように設置されており、前記スライダの上端面には第三戻し部品が固定的に設置されており、前記スライド溝の下側には噛合溝が連通して設置されており、前記噛合溝の中には連通軸が回転できるように設置されており、前記連通軸には前記スライダと噛み合う噛合歯車が左右に対称的に固定的に設置されており、左側の前記噛合歯車と前記押し装置とがベルトによって伝動できるように連結され、
前記スライダは前記スライド溝の中に収縮し、前記左防塵ボード及び前記右防塵ボードをアンロックすることを特徴とする請求項１に記載の防塵式創意掛け時計。
【請求項３】
前記押し装置は前記押しチャンバと相通する推し溝を含み、前記推し溝の中には推し棒がスライドできるように設置されており、前記推し棒と前記推し溝の間には押し撥条が固定的に設置されており、前記推し溝の上側にはスライドチャンバが相通して設置されており、前記スライドチャンバの中には前記推し棒と固定的に連結されるスライド棒がスライドできるように設置されており、前記スライド棒の中にはスプラインスリーブが回転できるように設置されており、前記スライドチャンバの後側には前記収縮装置と伝動できるように連結される伝動装置が設置されており、前記伝動装置と前記スプラインスリーブとがスプラインによって連結されており、前記スライドチャンバと前記押しチャンバの間には噛合チャンバが連通して設置されており、前記噛合チャンバの中には回転軸によって第一傘歯車が回転できるように設置されており、前記回転軸と前記スプラインスリーブとがスプラインによって連結されており、前記第一傘歯車の左端には第二傘歯車が噛み合い、前記第二傘歯車の左端面には前記ラックと噛み合う回転歯車が固定的に設置され、
前記押し棒が下がり、前記回転歯車を回転させて前記収縮装置を作動駆動することを特徴とする請求項１に記載の防塵式創意掛け時計。
【請求項４】
前記伝動装置は前記スライドチャンバと相通する回転溝を含み、前記回転溝の中にはスプライン軸によって第三傘歯車が回転できるように設置されており、前記スプライン軸の前端を前記スプラインスリーブとスプラインによって連結でき、前記第三傘歯車の左端には第四傘歯車が噛み合い、前記第四傘歯車の心棒の左端にはプーリが固定的に設置されており、前記回転溝と前記噛合溝とが相通し、前記プーリと左側の前記噛合歯車の間がベルトによって伝動できるように設置され、
前記第四傘歯車が回転し、前記ベルトによって前記収縮装置を作動させることを特徴とする請求項３に記載の防塵式創意掛け時計。
【発明の詳細な説明】
【技術分野】
【０００１】
本発明は日用品の技術分野を取り上げて、具体的には防塵式創意掛け時計である。
【背景技術】
【０００２】
現有の掛け時計は壁に固定的に設置されており、使用する時掛け時計の表面には埃がつみやすく、掛け時計の造形が独特で、不規則性を持つため、クリーニングが難しく、それに、普通にクリーニングする時、埃を掛け時計の内部に押し込む恐れがあり、掛け時計の使用精度に影響し、その使用寿命を縮める。
そのため、現有の技術の創意掛け時計を更に改善し、それにより掛け時計の防塵性を増える。
【先行技術文献】
【特許文献】
【０００３】
【特許文献１】中国特許出願公開第１０３１３５４３１号明細書
【発明の概要】
【発明が解決しようとする課題】
【０００４】
本発明の目的は防塵式創意掛け時計を提供し、現有の技術の上記欠点を克服する。
【課題を解決するための手段】
【０００５】
本発明の実施例における防塵式創意掛け時計は、壁を含み、前記壁の前端面には掛け時計が固定的に設置されており、前記掛け時計の下側には左右に対称的な固定ブロックが設置されており、前記固定ブロックの間には固定棒が固定的に設置されており、前記固定棒には透明な前防塵ボードが回転できるように設置されており、前記前防塵ボードと前記壁との間には伸縮撥条が固定的に設置されており、前記前防塵ボードの前端の中間にはロックブロックが固定的に設置されており、前記ロックブロックにはロックフックが固定的に設置されており、前記壁の前端面には固定軸が固定的に設置されており、前記固定軸には透明な左防塵ボードが回転できるように設置されており、前記左防塵ボードの中には収縮溝が設置されており、前記収縮溝の中の前記固定軸には透明な右防塵ボードが回転できるように設置されており、前記左防塵ボード及び前記右防塵ボードの後端と前記壁との間にはそれぞれ回転撥条が固定的に設置されており、前記固定軸の外側には収縮装置が設置されており、前記収縮装置が前記左防塵ボード及び前記右防塵ボードの下端面と当接し、前記固定軸の中にはロック溝が設置されており、前記ロック溝の中には固定軸が固定的に設置されており、前記固定軸にはロック棒が回転できるように設置されており、前記ロック棒と前記ロック溝との間には戻し撥条が固定的に設置されており、前記ロック溝の後側には回転チャンバが相通して設置されており、前記回転チャンバの中には支持棒が固定的に設置されており、前記支持棒には前端が前記ロック棒と当接する回転棒が回転できるように設置されており、前記回転チャンバの後側には押しチャンバが相通して設置されており、前記押しチャンバの中には押し棒がスライドできるように設置されており、前記押し棒の中には通槽が設置されており、前記回転棒の後端が前記通槽の中に挿入されており、前記押し棒にはラックが固定的に設置されており、前記押し棒の後側には前記収縮装置と伝動できるように連結される押し装置が伝動できるように設置されており、前記押し装置は前記ラックと噛み合い、前記押し棒の後端面には第一戻し部品が固定的に設置されており、前記押しチャンバの上側には押し溝が相通して設置されており、前記押し溝の中には押しブロックがスライドできるように設置されており、前記押しブロックの上端面には第二戻し部品が固定的に設置され、
前記左防塵ボードと前記右防塵ボード及び前記防塵ボードが前記掛け時計を囲んでいる。
【０００６】
更なる技術方案、前記収縮装置は前に開口した左右対称的なスライド溝を含み、前記スライド溝の中にはスライダがスライドできるように設置されており、前記スライダの上端面には第三戻し部品が固定的に設置されており、前記スライド溝の下側には噛合溝が連通して設置されており、前記噛合溝の中には連通軸が回転できるように設置されており、前記連通軸には前記スライダと噛み合う噛合歯車が左右に対称的に固定的に設置されており、左側の前記噛合歯車と前記押し装置とがベルトによって伝動できるように連結され、
前記スライダは前記スライド溝の中に収縮し、前記左防塵ボード及び前記右防塵ボードをアンロックする。
【０００７】
更なる技術方案、前記押し装置は前記押しチャンバと相通する推し溝を含み、前記推し溝の中には推し棒がスライドできるように設置されており、前記推し棒と前記推し溝の間には押し撥条が固定的に設置されており、前記推し溝の上側にはスライドチャンバが相通して設置されており、前記スライドチャンバの中には前記推し棒と固定的に連結されるスライド棒がスライドできるように設置されており、前記スライド棒の中にはスプラインスリーブが回転できるように設置されており、前記スライドチャンバの後側には前記収縮装置と伝動できるように連結される伝動装置が設置されており、前記伝動装置と前記スプラインスリーブとがスプラインによって連結されており、前記スライドチャンバと前記押しチャンバの間には噛合チャンバが連通して設置されており、前記噛合チャンバの中には回転軸によって第一傘歯車が回転できるように設置されており、前記回転軸と前記スプラインスリーブとがスプラインによって連結されており、前記第一傘歯車の左端には第二傘歯車が噛み合い、前記第二傘歯車の左端面には前記ラックと噛み合う回転歯車が固定的に設置され、
前記押し棒が下がり、前記回転歯車を回転させて前記収縮装置を作動駆動する。
【０００８】
更なる技術方案、前記伝動装置は前記スライドチャンバと相通する回転溝を含み、前記回転溝の中にはスプライン軸によって第三傘歯車が回転できるように設置されており、前記スプライン軸の前端を前記スプラインスリーブとスプラインによって連結でき、前記第三傘歯車の左端には第四傘歯車が噛み合い、前記第四傘歯車の心棒の左端にはプーリが固定的に設置されており、前記回転溝と前記噛合溝とが相通し、前記プーリと左側の前記噛合歯車の間がベルトによって伝動できるように設置され、
前記第四傘歯車が回転し、前記ベルトによって前記収縮装置を作動させる。
【発明の効果】
【０００９】
本発明の有益な効果は：本発明は結構が簡単で、操作が便利で、初期状態のとき、前防塵ボードと左防塵ボード及び右防塵ボードは飾り物を置く作用があり、防塵する時、三つの防塵ボードが掛け時計の外周を封じ、結構が敏活で、操作が簡単で、且つ美観性がある。。
【図面の簡単な説明】
【００１０】
下記に図1〜５をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１１】
【図１】図１は本発明の防塵式創意掛け時計の内部の全体構成模式図
【図２】図２は本発明の図１の「Ａ―Ａ」の拡大構成模式図
【図３】図３は本発明の図１の「Ｂ―Ｂ」の方向構成模式図
【図４】図４は本発明の図２の「Ｃ」の拡大構成模式図
【図５】図５は本発明の図２の「Ｄ」の拡大構成模式図
【発明を実施するための形態】
【００１２】
図１〜５を参考して、本発明の実施例における防塵式創意掛け時計は、壁１０を含み、前記壁１０の前端面には掛け時計１１が固定的に設置されており、前記掛け時計１１の下側には左右に対称的な固定ブロック１２が設置されており、前記固定ブロック１２の間には固定棒１３が固定的に設置されており、前記固定棒１３には透明な前防塵ボード１４が回転できるように設置されており、前記前防塵ボード１４と前記壁１０との間には伸縮撥条１５が固定的に設置されており、前記前防塵ボード１４の前端の中間にはロックブロック１６が固定的に設置されており、前記ロックブロック１６にはロックフック１７が固定的に設置されており、前記壁１０の前端面には固定軸１８が固定的に設置されており、前記固定軸１８には透明な左防塵ボード１９が回転できるように設置されており、前記左防塵ボード１９の中には収縮溝２０が設置されており、前記収縮溝２０の中の前記固定軸１８には透明な右防塵ボード２１が回転できるように設置されており、前記左防塵ボード１９及び前記右防塵ボード２１の後端と前記壁１０との間にはそれぞれ回転撥条６１が固定的に設置されており、前記固定軸１８の外側には収縮装置１００が設置されており、前記収縮装置１００が前記左防塵ボード１９及び前記右防塵ボード２１の下端面と当接し、前記固定軸１８の中にはロック溝２２が設置されており、前記ロック溝２２の中には固定軸２３が固定的に設置されており、前記固定軸２３にはロック棒２４が回転できるように設置されており、前記ロック棒２４と前記ロック溝２２との間には戻し撥条２５が固定的に設置されており、前記ロック溝２２の後側には回転チャンバ２６が相通して設置されており、前記回転チャンバ２６の中には支持棒２７が固定的に設置されており、前記支持棒２７には前端が前記ロック棒２４と当接する回転棒２８が回転できるように設置されており、前記回転チャンバ２６の後側には押しチャンバ２９が相通して設置されており、前記押しチャンバ２９の中には押し棒３０がスライドできるように設置されており、前記押し棒３０の中には通槽３１が設置されており、前記回転棒２８の後端が前記通槽３１の中に挿入されており、前記押し棒３０にはラック３２が固定的に設置されており、前記押し棒３０の後側には前記収縮装置１００と伝動できるように連結される押し装置２００が伝動できるように設置されており、前記押し装置２００は前記ラック３２と噛み合い、前記押し棒３０の後端面には第一戻し部品３３が固定的に設置されており、前記押しチャンバ２９の上側には押し溝３４が相通して設置されており、前記押し溝３４の中には押しブロック３５がスライドできるように設置されており、前記押しブロック３５の上端面には第二戻し部品３５が固定的に設置され、
前記左防塵ボード１９と前記右防塵ボード２１及び前記防塵ボード１４が前記掛け時計１１を囲んでいる。
【００１３】
有益なように、前記収縮装置１００は前に開口した左右対称的なスライド溝５８を含み、前記スライド溝５８の中にはスライダ５９がスライドできるように設置されており、前記スライダ５９の上端面には第三戻し部品６０が固定的に設置されており、前記スライド溝５８の下側には噛合溝５４が連通して設置されており、前記噛合溝５４の中には連通軸５５が回転できるように設置されており、前記連通軸５５には前記スライダ５９と噛み合う噛合歯車５６が左右に対称的に固定的に設置されており、左側の前記噛合歯車５６と前記押し装置２００とがベルト５７によって伝動できるように連結され、
前記スライダ５９は前記スライド溝５８の中に収縮し、前記左防塵ボード１９及び前記右防塵ボード２１をアンロックする。
【００１４】
有益なように、前記押し装置２００は前記押しチャンバ２９と相通する推し溝３７を含み、前記推し溝３７の中には推し棒３８がスライドできるように設置されており、前記推し棒３８と前記推し溝３７の間には押し撥条３９が固定的に設置されており、前記推し溝３７の上側にはスライドチャンバ４０が相通して設置されており、前記スライドチャンバ４０の中には前記推し棒３８と固定的に連結されるスライド棒４１がスライドできるように設置されており、前記スライド棒４１の中にはスプラインスリーブ４７が回転できるように設置されており、前記スライドチャンバ４０の後側には前記収縮装置１００と伝動できるように連結される伝動装置３００が設置されており、前記伝動装置と前記スプラインスリーブ４７とがスプラインによって連結されており、前記スライドチャンバ４０と前記押しチャンバ２９の間には噛合チャンバ４２が連通して設置されており、前記噛合チャンバ４２の中には回転軸４６によって第一傘歯車４５が回転できるように設置されており、前記回転軸４６と前記スプラインスリーブ４７とがスプラインによって連結されており、前記第一傘歯車４５の左端には第二傘歯車４４が噛み合い、前記第二傘歯車４４の左端面には前記ラック３２と噛み合う回転歯車４３が固定的に設置され、
前記押し棒３０が下がり、前記回転歯車４３を回転させて前記収縮装置１００を作動駆動する。
【００１５】
有益なように、前記伝動装置３００は前記スライドチャンバ４０と相通する回転溝４８を含み、前記回転溝４８の中にはスプライン軸５０によって第三傘歯車４９が回転できるように設置されており、前記スプライン軸５０の前端を前記スプラインスリーブ４７とスプラインによって連結でき、前記第三傘歯車４９の左端には第四傘歯車５２が噛み合い、前記第四傘歯車５２の心棒５１の左端にはプーリ５３が固定的に設置されており、前記回転溝４８と前記噛合溝５４とが相通し、前記プーリ５３と左側の前記噛合歯車５６の間がベルト５７によって伝動できるように設置され、
前記第四傘歯車５２が回転し、前記ベルト５７によって前記収縮装置を作動させる。
【００１６】
初期状態に、左防塵ボード１９及び右防塵ボード２１はそれぞれスライダ５９と当接し、回転撥条６１が圧縮状態であり、前防塵ボード１４が水平に置かれ、スプラインスリーブ４７とスプライン軸５０がまだ連結されていない。
【００１７】
装置を始動する時、押しブロック３５を押し、押し棒３０が下がり、推し棒３８が後へ移動し、スライド棒４１がスプラインスリーブ４７を後へ移動連動させ、スプラインスリーブ４７とスプライン軸５０及び回転軸４６とが連結され、この時、ラック３２と回転歯車４３とが噛み合い、押し棒３０が下がって回転歯車４３を回転させ、スプラインスリーブ４７によって第四傘歯車５２を回転させ、プーリ５３が回転し、ベルト５７によって噛合歯車５６を回転させ、スライダ５９が後へスライド溝５８の中に移動し、左防塵ボード１９と右防塵ボード２１が回転撥条６１によって回転し、掛け時計１１の上端及び左右両側を封じ、その後、前防塵ボード１４を上へ回してロックフック１７とロック棒２４とをロックして連結し、前防塵ボード１４が掛け時計１１の前側と下端を封じ、この時、掛け時計の外周が全部封じられて防塵を行い、開ける時、押しブロック３５を押し、押し棒３０を下がらせ、回転棒２８が回転し、右から見るとロック棒２４が反時計回りを回り、ロックフック１７とロック棒２４とがロック状態から離脱し、前防塵ボード１４が伸縮撥条１５によって初期位置に戻り、そして、左防塵ボード１９と右防塵ボード２１を手動に逆方向に回してスライダ５９の上側に位置させ、開いたぜん防塵ボード１４と、左防塵ボード１９及び右防塵ボード２１にはすべて飾り物を置ける。
【００１８】
本発明の有益な効果は：本発明は結構が簡単で、操作が便利で、初期状態のとき、前防塵ボードと左防塵ボード及び右防塵ボードは飾り物を置く作用があり、防塵する時、三つの防塵ボードが掛け時計の外周を封じ、結構が敏活で、操作が簡単で、且つ美観性がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180957.tif 000003
【図２】
2020180957.tif 000004
【図３】
2020180957.tif 000005
【図４】
2020180957.tif 000006
【図５】
2020180957.tif 000007
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
正面視で、防塵式創意掛け時計であって、壁を含み、前記壁の前端面には掛け時計が固定的に設置されており、前記掛け時計の下側には左右に対称的な固定ブロックが設置されており、前記固定ブロックの間には固定棒が固定的に設置されており、前記固定棒には透明な前防塵ボードが回転できるように設置されており、前記前防塵ボードと前記壁との間には伸縮撥条が固定的に設置されており、前記前防塵ボードの前端の中間にはロックブロックが固定的に設置されており、前記ロックブロックにはロックフックが固定的に設置されており、前記壁の前端面には固定軸が固定的に設置されており、前記固定軸には透明な左防塵ボードが回転できるように設置されており、前記左防塵ボードの中には収縮溝が設置されており、前記収縮溝の中の前記固定軸には透明な右防塵ボードが回転できるように設置されており、前記左防塵ボード及び前記右防塵ボードの後端と前記壁との間にはそれぞれ回転撥条が固定的に設置されており、前記固定軸の外側には収縮装置が設置されており、前記収縮装置が前記左防塵ボード及び前記右防塵ボードの下端面と当接し、前記固定軸の中にはロック溝が設置されており、前記ロック溝の中には固定軸が固定的に設置されており、前記固定軸にはロック棒が回転できるように設置されており、前記ロック棒と前記ロック溝との間には戻し撥条が固定的に設置されており、前記ロック溝の後側には回転チャンバが相通して設置されており、前記回転チャンバの中には支持棒が固定的に設置されており、前記支持棒には前端が前記ロック棒と当接する回転棒が回転できるように設置されており、前記回転チャンバの後側には押しチャンバが相通して設置されており、前記押しチャンバの中には押し棒がスライドできるように設置されており、前記押し棒の中には通槽が設置されており、前記回転棒の後端が前記通槽の中に挿入されており、前記押し棒にはラックが固定的に設置されており、前記押し棒の後側には前記収縮装置と伝動できるように連結される押し装置が伝動できるように設置されており、前記押し装置は前記ラックと噛み合い、前記押し棒の後端面には第一戻し部品が固定的に設置されており、前記押しチャンバの上側には押し溝が相通して設置されており、前記押し溝の中には押しブロックがスライドできるように設置されており、前記押しブロックの上端面には第二戻し部品が固定的に設置され、
前記左防塵ボードと前記右防塵ボード及び前記前防塵ボードが前記掛け時計を囲んでおり、
前記収縮装置は前に開口した左右対称的なスライド溝を含み、前記スライド溝の中にはスライダがスライドできるように設置されており、前記スライダの上端面には第三戻し部品が固定的に設置されており、前記スライド溝の下側には噛合溝が連通して設置されており、前記噛合溝の中には連通軸が回転できるように設置されており、前記連通軸には前記スライダと噛み合う噛合歯車が左右に対称的に固定的に設置されており、左側の前記噛合歯車と前記押し装置とがベルトによって伝動できるように連結され、
前記スライダは前記スライド溝の中に収縮し、前記左防塵ボード及び前記右防塵ボードをアンロックすることができ、
前記押し装置は前記押しチャンバと相通する推し溝を含み、前記推し溝の中には推し棒がスライドできるように設置されており、前記推し棒と前記推し溝の間には押し撥条が固定的に設置されており、前記推し溝の上側にはスライドチャンバが相通して設置されており、前記スライドチャンバの中には前記推し棒と固定的に連結されるスライド棒がスライドできるように設置されており、前記スライド棒の中にはスプラインスリーブが回転できるように設置されており、前記スライドチャンバの後側には前記収縮装置と伝動できるように連結される伝動装置が設置されており、前記伝動装置と前記スプラインスリーブとがスプラインによって連結されており、前記スライドチャンバと前記押しチャンバの間には噛合チャンバが連通して設置されており、前記噛合チャンバの中には回転軸によって第一傘歯車が回転できるように設置されており、前記回転軸と前記スプラインスリーブとがスプラインによって連結されており、前記第一傘歯車の左端には第二傘歯車が噛み合い、前記第二傘歯車の左端面には前記ラックと噛み合う回転歯車が固定的に設置され、
前記押し棒が下がり、前記回転歯車を回転させて前記収縮装置を作動駆動することができ、
前記伝動装置は前記スライドチャンバと相通する回転溝を含み、前記回転溝の中にはスプライン軸によって第三傘歯車が回転できるように設置されており、前記スプライン軸の前端を前記スプラインスリーブとスプラインによって連結でき、前記第三傘歯車の左端には第四傘歯車が噛み合い、前記第四傘歯車の心棒の左端にはプーリが固定的に設置されており、前記回転溝と前記噛合溝とが相通し、前記プーリと左側の前記噛合歯車の間がベルトによって伝動できるように設置され、
前記第四傘歯車が回転し、前記ベルトによって前記収縮装置を作動させることを特徴とする防塵式創意掛け時計。
【手続補正２】
【補正対象書類名】明細書
【補正対象項目名】全文
【補正方法】変更
【補正の内容】
【発明の詳細な説明】
【技術分野】
【０００１】
本発明は日用品の技術分野を取り上げて、具体的には防塵式創意掛け時計である。
【背景技術】
【０００２】
現有の掛け時計は壁に固定的に設置されており、使用する時掛け時計の表面には埃がつみやすく、掛け時計の造形が独特で、不規則性を持つため、クリーニングが難しく、それに、普通にクリーニングする時、埃を掛け時計の内部に押し込む恐れがあり、掛け時計の使用精度に影響し、その使用寿命を縮める。
そのため、現有の技術の創意掛け時計を更に改善し、それにより掛け時計の防塵性を増える。
【先行技術文献】
【特許文献】
【０００３】
【特許文献１】中国特許出願公開第１０３１３５４３１号明細書
【発明の概要】
【発明が解決しようとする課題】
【０００４】
本発明の目的は防塵式創意掛け時計を提供し、現有の技術の上記欠点を克服する。
【課題を解決するための手段】
【０００５】
本発明の実施例における防塵式創意掛け時計は、壁を含み、前記壁の前端面には掛け時計が固定的に設置されており、前記掛け時計の下側には左右に対称的な固定ブロックが設置されており、前記固定ブロックの間には固定棒が固定的に設置されており、前記固定棒には透明な前防塵ボードが回転できるように設置されており、前記前防塵ボードと前記壁との間には伸縮撥条が固定的に設置されており、前記前防塵ボードの前端の中間にはロックブロックが固定的に設置されており、前記ロックブロックにはロックフックが固定的に設置されており、前記壁の前端面には固定軸が固定的に設置されており、前記固定軸には透明な左防塵ボードが回転できるように設置されており、前記左防塵ボードの中には収縮溝が設置されており、前記収縮溝の中の前記固定軸には透明な右防塵ボードが回転できるように設置されており、前記左防塵ボード及び前記右防塵ボードの後端と前記壁との間にはそれぞれ回転撥条が固定的に設置されており、前記固定軸の外側には収縮装置が設置されており、前記収縮装置が前記左防塵ボード及び前記右防塵ボードの下端面と当接し、前記固定軸の中にはロック溝が設置されており、前記ロック溝の中には固定軸が固定的に設置されており、前記固定軸にはロック棒が回転できるように設置されており、前記ロック棒と前記ロック溝との間には戻し撥条が固定的に設置されており、前記ロック溝の後側には回転チャンバが相通して設置されており、前記回転チャンバの中には支持棒が固定的に設置されており、前記支持棒には前端が前記ロック棒と当接する回転棒が回転できるように設置されており、前記回転チャンバの後側には押しチャンバが相通して設置されており、前記押しチャンバの中には押し棒がスライドできるように設置されており、前記押し棒の中には通槽が設置されており、前記回転棒の後端が前記通槽の中に挿入されており、前記押し棒にはラックが固定的に設置されており、前記押し棒の後側には前記収縮装置と伝動できるように連結される押し装置が伝動できるように設置されており、前記押し装置は前記ラックと噛み合い、前記押し棒の後端面には第一戻し部品が固定的に設置されており、前記押しチャンバの上側には押し溝が相通して設置されており、前記押し溝の中には押しブロックがスライドできるように設置されており、前記押しブロックの上端面には第二戻し部品が固定的に設置され、
前記左防塵ボードと前記右防塵ボード及び前記前防塵ボードが前記掛け時計を囲んでいる。
【０００６】
更なる技術方案、前記収縮装置は前に開口した左右対称的なスライド溝を含み、前記スライド溝の中にはスライダがスライドできるように設置されており、前記スライダの上端面には第三戻し部品が固定的に設置されており、前記スライド溝の下側には噛合溝が連通して設置されており、前記噛合溝の中には連通軸が回転できるように設置されており、前記連通軸には前記スライダと噛み合う噛合歯車が左右に対称的に固定的に設置されており、左側の前記噛合歯車と前記押し装置とがベルトによって伝動できるように連結され、
前記スライダは前記スライド溝の中に収縮し、前記左防塵ボード及び前記右防塵ボードをアンロックする。
【０００７】
更なる技術方案、前記押し装置は前記押しチャンバと相通する推し溝を含み、前記推し溝の中には推し棒がスライドできるように設置されており、前記推し棒と前記推し溝の間には押し撥条が固定的に設置されており、前記推し溝の上側にはスライドチャンバが相通して設置されており、前記スライドチャンバの中には前記推し棒と固定的に連結されるスライド棒がスライドできるように設置されており、前記スライド棒の中にはスプラインスリーブが回転できるように設置されており、前記スライドチャンバの後側には前記収縮装置と伝動できるように連結される伝動装置が設置されており、前記伝動装置と前記スプラインスリーブとがスプラインによって連結されており、前記スライドチャンバと前記押しチャンバの間には噛合チャンバが連通して設置されており、前記噛合チャンバの中には回転軸によって第一傘歯車が回転できるように設置されており、前記回転軸と前記スプラインスリーブとがスプラインによって連結されており、前記第一傘歯車の左端には第二傘歯車が噛み合い、前記第二傘歯車の左端面には前記ラックと噛み合う回転歯車が固定的に設置され、
前記押し棒が下がり、前記回転歯車を回転させて前記収縮装置を作動駆動する。
【０００８】
更なる技術方案、前記伝動装置は前記スライドチャンバと相通する回転溝を含み、前記回転溝の中にはスプライン軸によって第三傘歯車が回転できるように設置されており、前記スプライン軸の前端を前記スプラインスリーブとスプラインによって連結でき、前記第三傘歯車の左端には第四傘歯車が噛み合い、前記第四傘歯車の心棒の左端にはプーリが固定的に設置されており、前記回転溝と前記噛合溝とが相通し、前記プーリと左側の前記噛合歯車の間がベルトによって伝動できるように設置され、
前記第四傘歯車が回転し、前記ベルトによって前記収縮装置を作動させる。
【発明の効果】
【０００９】
本発明の有益な効果は：本発明は結構が簡単で、操作が便利で、初期状態のとき、前防塵ボードと左防塵ボード及び右防塵ボードは飾り物を置く作用があり、防塵する時、三つの防塵ボードが掛け時計の外周を封じ、結構が敏活で、操作が簡単で、且つ美観性がある。
。
【図面の簡単な説明】
【００１０】
下記に図1〜５をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１１】
【図１】図１は本発明の防塵式創意掛け時計の内部の全体構成模式図
【図２】図２は本発明の図１の「Ａ―Ａ」の拡大構成模式図
【図３】図３は本発明の図１の「Ｂ―Ｂ」の方向構成模式図
【図４】図４は本発明の図２の「Ｃ」の拡大構成模式図
【図５】図５は本発明の図２の「Ｄ」の拡大構成模式図
【発明を実施するための形態】
【００１２】
図１〜５を参考して、本発明の実施例における防塵式創意掛け時計は、壁１０を含み、前記壁１０の前端面には掛け時計１１が固定的に設置されており、前記掛け時計１１の下側には左右に対称的な固定ブロック１２が設置されており、前記固定ブロック１２の間には固定棒１３が固定的に設置されており、前記固定棒１３には透明な前防塵ボード１４が回転できるように設置されており、前記前防塵ボード１４と前記壁１０との間には伸縮撥条１５が固定的に設置されており、前記前防塵ボード１４の前端の中間にはロックブロック１６が固定的に設置されており、前記ロックブロック１６にはロックフック１７が固定的に設置されており、前記壁１０の前端面には固定軸１８が固定的に設置されており、前記固定軸１８には透明な左防塵ボード１９が回転できるように設置されており、前記左防塵ボード１９の中には収縮溝２０が設置されており、前記収縮溝２０の中の前記固定軸１８には透明な右防塵ボード２１が回転できるように設置されており、前記左防塵ボード１９及び前記右防塵ボード２１の後端と前記壁１０との間にはそれぞれ回転撥条６１が固定的に設置されており、前記固定軸１８の外側には収縮装置１００が設置されており、前記収縮装置１００が前記左防塵ボード１９及び前記右防塵ボード２１の下端面と当接し、前記固定軸１８の中にはロック溝２２が設置されており、前記ロック溝２２の中には固定軸２３が固定的に設置されており、前記固定軸２３にはロック棒２４が回転できるように設置されており、前記ロック棒２４と前記ロック溝２２との間には戻し撥条２５が固定的に設置されており、前記ロック溝２２の後側には回転チャンバ２６が相通して設置されており、前記回転チャンバ２６の中には支持棒２７が固定的に設置されており、前記支持棒２７には前端が前記ロック棒２４と当接する回転棒２８が回転できるように設置されており、前記回転チャンバ２６の後側には押しチャンバ２９が相通して設置されており、前記押しチャンバ２９の中には押し棒３０がスライドできるように設置されており、前記押し棒３０の中には通槽３１が設置されており、前記回転棒２８の後端が前記通槽３１の中に挿入されており、前記押し棒３０にはラック３２が固定的に設置されており、前記押し棒３０の後側には前記収縮装置１００と伝動できるように連結される押し装置２００が伝動できるように設置されており、前記押し装置２００は前記ラック３２と噛み合い、前記押し棒３０の後端面には第一戻し部品３３が固定的に設置されており、前記押しチャンバ２９の上側には押し溝３４が相通して設置されており、前記押し溝３４の中には押しブロック３５がスライドできるように設置されており、前記押しブロック３５の上端面には第二戻し部品３５が固定的に設置され、
前記左防塵ボード１９と前記右防塵ボード２１及び前記前防塵ボード１４が前記掛け時計１１を囲んでいる。
【００１３】
有益なように、前記収縮装置１００は前に開口した左右対称的なスライド溝５８を含み、前記スライド溝５８の中にはスライダ５９がスライドできるように設置されており、前記スライダ５９の上端面には第三戻し部品６０が固定的に設置されており、前記スライド溝５８の下側には噛合溝５４が連通して設置されており、前記噛合溝５４の中には連通軸５５が回転できるように設置されており、前記連通軸５５には前記スライダ５９と噛み合う噛合歯車５６が左右に対称的に固定的に設置されており、左側の前記噛合歯車５６と前記押し装置２００とがベルト５７によって伝動できるように連結され、
前記スライダ５９は前記スライド溝５８の中に収縮し、前記左防塵ボード１９及び前記右防塵ボード２１をアンロックする。
【００１４】
有益なように、前記押し装置２００は前記押しチャンバ２９と相通する推し溝３７を含み、前記推し溝３７の中には推し棒３８がスライドできるように設置されており、前記推し棒３８と前記推し溝３７の間には押し撥条３９が固定的に設置されており、前記推し溝３７の上側にはスライドチャンバ４０が相通して設置されており、前記スライドチャンバ４０の中には前記推し棒３８と固定的に連結されるスライド棒４１がスライドできるように設置されており、前記スライド棒４１の中にはスプラインスリーブ４７が回転できるように設置されており、前記スライドチャンバ４０の後側には前記収縮装置１００と伝動できるように連結される伝動装置３００が設置されており、前記伝動装置と前記スプラインスリーブ４７とがスプラインによって連結されており、前記スライドチャンバ４０と前記押しチャンバ２９の間には噛合チャンバ４２が連通して設置されており、前記噛合チャンバ４２の中には回転軸４６によって第一傘歯車４５が回転できるように設置されており、前記回転軸４６と前記スプラインスリーブ４７とがスプラインによって連結されており、前記第一傘歯車４５の左端には第二傘歯車４４が噛み合い、前記第二傘歯車４４の左端面には前記ラック３２と噛み合う回転歯車４３が固定的に設置され、
前記押し棒３０が下がり、前記回転歯車４３を回転させて前記収縮装置１００を作動駆動する。
【００１５】
有益なように、前記伝動装置３００は前記スライドチャンバ４０と相通する回転溝４８を含み、前記回転溝４８の中にはスプライン軸５０によって第三傘歯車４９が回転できるように設置されており、前記スプライン軸５０の前端を前記スプラインスリーブ４７とスプラインによって連結でき、前記第三傘歯車４９の左端には第四傘歯車５２が噛み合い、前記第四傘歯車５２の心棒５１の左端にはプーリ５３が固定的に設置されており、前記回転溝４８と前記噛合溝５４とが相通し、前記プーリ５３と左側の前記噛合歯車５６の間がベルト５７によって伝動できるように設置され、
前記第四傘歯車５２が回転し、前記ベルト５７によって前記収縮装置を作動させる。
【００１６】
初期状態に、左防塵ボード１９及び右防塵ボード２１はそれぞれスライダ５９と当接し、回転撥条６１が圧縮状態であり、前防塵ボード１４が水平に置かれ、スプラインスリーブ４７とスプライン軸５０がまだ連結されていない。
【００１７】
装置を始動する時、押しブロック３５を押し、押し棒３０が下がり、推し棒３８が後へ移動し、スライド棒４１がスプラインスリーブ４７を後へ移動連動させ、スプラインスリーブ４７とスプライン軸５０及び回転軸４６とが連結され、この時、ラック３２と回転歯車４３とが噛み合い、押し棒３０が下がって回転歯車４３を回転させ、スプラインスリーブ４７によって第四傘歯車５２を回転させ、プーリ５３が回転し、ベルト５７によって噛合歯車５６を回転させ、スライダ５９が後へスライド溝５８の中に移動し、左防塵ボード１９と右防塵ボード２１が回転撥条６１によって回転し、掛け時計１１の上端及び左右両側を封じ、その後、前防塵ボード１４を上へ回してロックフック１７とロック棒２４とをロックして連結し、前防塵ボード１４が掛け時計１１の前側と下端を封じ、この時、掛け時計の外周が全部封じられて防塵を行い、開ける時、押しブロック３５を押し、押し棒３０を下がらせ、回転棒２８が回転し、右から見るとロック棒２４が反時計回りを回り、ロックフック１７とロック棒２４とがロック状態から離脱し、前防塵ボード１４が伸縮撥条１５によって初期位置に戻り、そして、左防塵ボード１９と右防塵ボード２１を手動に逆方向に回してスライダ５９の上側に位置させ、開いたぜん防塵ボード１４と、左防塵ボード１９及び右防塵ボード２１にはすべて飾り物を置ける。
【００１８】
本発明の有益な効果は：本発明は結構が簡単で、操作が便利で、初期状態のとき、前防塵ボードと左防塵ボード及び右防塵ボードは飾り物を置く作用があり、防塵する時、三つの防塵ボードが掛け時計の外周を封じ、結構が敏活で、操作が簡単で、且つ美観性がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。